(57)【要約】【課題】従来のサポートテープに比して、長手方向の伸縮率が高く且つ緯糸の強度が高くて、高価な装具を用いることなく、テーピングのみによって長時間膝関節を保護することができるサポートテープの提供を課題とする。【解決手段】サポートテープ１０は、経糸１１と緯糸１２によって帯状に織成されている。長手方向に延在するように配設されている経糸１１は、ポリウレタン製の糸の表面に綿繊維が配設されている伸縮性を有する糸によって構成されている。緯糸１２は綿製の単糸を２本用いて形成される双糸によって構成されている。サポートテープ１０の片面には粘着剤１３が塗布されている。【選択図】  図１
0003107822.tif 000002
【実用新案登録請求の範囲】
【請求項１】
経糸が長手方向に延在するように経糸と緯糸とによって帯状に織成されたサポートテー
プであって、前記経糸はポリウレタン製の糸の表面に綿繊維が配設されている糸によって
構成され、前記緯糸は綿製の単糸を２本用いて形成される双糸によって構成されているこ
とを特徴とするサポートテープ。
【請求項２】
経糸が長手方向に延在するように経糸と緯糸とによって帯状に織成されたサポートテー
プであって、前記経糸はポリウレタン製の糸の表面に綿繊維が配設されている糸によって
構成され、前記緯糸はポリエステル／レーヨン混紡の単糸を２本用いて形成される双糸に
よって構成されていることを特徴とするサポートテープ。
【請求項３】
前記帯状に織成されたサポートテープの片面には粘着剤が塗布されていることを特徴と
する請求項１または２に記載のサポートテープ。
【考案の詳細な説明】
【技術分野】
【０００１】
本考案は、運動をする際に関節等を保護するために行われているテーピングに用いられ
るサポートテープに関するものである。
【背景技術】
【０００２】
従来から、スポーツ等を行う際に、関節等の必要とされる可動域以外の動きを規制して
、運動時における関節等の損傷を防止する目的でテーピングが行われている。
【０００３】
図５および図６は、従来のサポートテープを用いた膝関節のテーピングの例を示したも
のである。
【０００４】
図５，図６に示したテーピングにおいては、膝関節を保護する伸縮性を有するサポート
テープ１の他に、サポートテープ１と同質のテープで幅の狭いスリムサポートテープ１´
と、非伸縮性の補助テープ２と、皮膚を保護するためのアンダーラップ３とが用いられて
いる。
【０００５】
以下、図５および図６を用いて従来の膝関節のテーピングについて説明する。
【０００６】
先ず、図５（ａ）に示したように、ふくらはぎの一番太い所から大腿の中間位までアン
ダーラップ３を巻き、その端部をスリムサポートテープ１´で止め、テーピングの下準備
を行う。
【０００７】
次に、、図５（ｂ）に示したように、膝関節の側部に位置する側副靱帯の部分で補助テ
ープ２が互いに交差するように、複数枚の補助テープ２を貼る。
【０００８】
さらに、図５（ｂ）に示したように貼られた補助テープ２の上に、補助テープ２と同様
の貼り方で膝関節を保護するサポートテープ１を図５（ｃ）ないし（ｅ）に示したように
貼り、その端部を図５（ｆ）に示したように補助テープ２で止める。
【０００９】
以上のようにして膝関節の側副靱帯をサポートテープ１によって補強する。
【００１０】
次に、下腿の過度の回旋運動や過度の伸展を予防するために、図６（ａ）に示したよう
に２枚のサポートテープ１をスパイラル状に貼る。
【００１１】
最後に、図６（ｂ）ないし（ｄ）に示したように膝蓋骨を安定させるためのテーピング
を行う。即ち、図６（ｂ）に示したように、１枚のサポートテープ１の端部を略半分の幅
となるように割いて、その割いたサポートテープ１の各々を、図６（ｃ）に示したように
膝蓋骨を囲むように貼る。図６（ｄ）はこのようにして貼られたサポートテープ１を前方
から視た図である。
【００１２】
図７は、以上説明したテーピングに用いられる従来のサポートテープ１の構成を示した
図である。
【００１３】
図７に示したように、このサポートテープ１は、綿製の経糸１ａと緯糸１ｂとによって
帯状に織成されたものであり、その片面にはゴム系の粘着剤１ｃが塗布されている。
【００１４】
ここで、サポートテープ１の長手方向に延在するように配設されている経糸１ａは、図
７に示したように、直線状ではなく、「く」の字が連続するような形状に予め成形された
糸によって構成されており、この経糸１ａの形状変化によってサポートテープ１の長手方
向の伸縮性が確保されている。
【考案の開示】
【考案が解決しようとする課題】
【００１５】
このように、従来のサポートテープ１は、「く」の字が連続するような形状に成形され
た経糸１ａの形状変化によってその長手方向の伸縮性を得る構成となっている。従って従
来のサポートテープ１は、伸縮率が小さく、且つサポートテープ１自体の厚みが増してそ
の身体への密着性が低いために、身体の動きに追従しにくく、長時間使用すると剥がれ易
くなってしまうという問題点があった。即ち、従来のサポートテープ１を使用した場合に
は、短時間の運動においては、膝関節等の関節を保護することができるが、長時間保護す
ることが困難であるという問題点があった。従って、従来は長時間に亘り膝関節を保護す
る必要がある場合には、図８に示したような鉄やカーボン等の材料で構成された高価な装
具５を膝関節に装着する必要があった。
【００１６】
さらに、従来のサポートテープ１においては、緯糸１ｂの強度が低く、例えば図６（ｂ
）に示したように、サポートテープ１を長手方向に割いて使用する場合、運動の最中にそ
の裂け目が広がり、サポートテープ１による保護機能が低下してしまうという問題点もあ
った。
【課題を解決するための手段】
【００１７】
以上の問題点を解決するために本考案の第１の手段は、経糸が長手方向に延在するよう
に経糸と緯糸とによって帯状に織成されたサポートテープであって、前記経糸はポリウレ
タン製の糸の表面に綿繊維が配設されている糸によって構成され、前記緯糸は綿製の単糸
を２本用いて形成される双糸によって構成されていることを特徴とするものである。
【００１８】
また、以上の問題点を解決するために本考案の第２の手段は、経糸が長手方向に延在す
るように経糸と緯糸とによって帯状に織成されたサポートテープであって、前記経糸はポ
リウレタン製の糸の表面に綿繊維が配設されている糸によって構成され、前記緯糸はポリ
エステル／レーヨン混紡の単糸を２本用いて形成される双糸によって構成されていること
を特徴とするものである。
【００１９】
ここで、以上の第１の手段または第２の手段において、前記帯状に織成されたサポート
テープの片面には粘着剤が塗布されていてもよい。
【考案の効果】
【００２０】
本考案によれば、従来のサポートテープに比して、長手方向の伸縮率が高く且つ緯糸の
強度が高いサポートテープを提供することができるので、高価な装具を用いることなく、
テーピングのみによって長時間膝関節を保護することができるという効果が得られる。
【考案を実施するための最良の形態】
【００２１】
以下、図面を用いて本考案の実施例を説明する。
【実施例１】
【００２２】
図１は、本考案の実施例１の構成を示した構成図である。
【００２３】
図１に示したように本実施例１に係るサポートテープ１０は、経糸１１と緯糸１２とに
よって帯状に織成されたものであり、その片面には、皮膚に対して刺激の少ないエポキシ
系の粘着剤１３が塗布されている。
【００２４】
ここで、サポートテープ１０の長手方向に延在するように配設されている経糸１１の構
成を図２（ａ）に示す。この経糸１１は、糸自体に伸縮性を有するポリウレタン製の糸１
１ａの表面に綿繊維１１ｂを配設したものである。
【００２５】
図２（ｂ）は、本実施例１に使用されている緯糸１２の構成を示したものである。この
緯糸１２は、綿製の２本の単糸１２ａ，１２ｂを用いて形成される双糸によって構成され
ている。このように本実施例１においては、緯糸１２を双糸で構成することによってこの
緯糸１２の強度を高めている。
【００２６】
ここで、緯糸１２を形成する単糸１２ａ，１２ｂとして本実施例１では１６番手の綿糸
を使用しているが、この単糸１２ａ，１２ｂの太さは１６番手に限定されるものではない
。さらにこの緯糸１２は、ポリエステル／レーヨン混紡の単糸を２本用いて形成される双
糸によって構成してもよい。
【００２７】
以上のように構成された本実施例１においては、糸自体に伸縮性を有する経糸１１がサ
ポートテープ１０の長手方向に延在するように配設されているために、その長手方向にお
ける伸縮率は、先に説明した従来のサポートテープ１に比して高くなっている。
【００２８】
埼玉県産業技術総合センターで強度試験を行った結果、切断時における伸び率が本実施
例１は９１．８％になったのに対して従来のサポートテープ１は７０．０％であった。な
お、この強度試験においては、従来のサポートテープ１としてクレーマープロダクツ  イ
ンコーポレイテッド社製エラスチックテープ（幅７．５ｃｍ）を用いた。
【００２９】
このように従来のサポートテープ１に比して高い伸縮率を有する本実施例１に係るサポ
ートテープ１０を身体に貼った場合には、身体の動きに追従してサポートテープ１０が伸
縮するために、長時間運動を続けてもサポートテープ１０が剥がれるようなことはない。
また、このサポートテープ１０の緯糸１２は双糸によって構成され、その強度が従来に比
して高められているために、このサポートテープ１０の端部を割いて使用した場合でも、
長時間に亘ってその裂け目が広がるようなことはない。
【００３０】
次に、以上説明した本実施例１に係るサポートテープ１０を用いた膝関節のテーピング
について図３，図４を用いて説明する。
【００３１】
先ず、図３（ａ）に示したようにサポートテープ１０の端部を中央から割いて、その割
いた部分を膝蓋骨の下に巻きつける。
【００３２】
次に、図３（ｂ）に示したように、内側の側副靱帯の真上を通るようにサポートテープ
１０を上へ引っ張った状態にして、図３（ｃ）に示したように縫工筋の走行方向に沿って
通臀部まで貼る。
【００３３】
以上のような状態において、新たなサポートテープ１０を、図３（ｄ）に示したように
、その中央部が脛骨粗面の真上に位置するようにして斜め後方に引っ張り、図３（ｅ），
（ｆ）に示したように、大腿二頭筋腱と半腱様筋腱との真上を通るように貼る。図３（ｇ
）は、図３（ｆ）に示した状態を裏側から視た図である。
【００３４】
次に、図４（ａ）に示したように新たなサポートテープ１０を、下腿内側から膝窩を通
って大腿部前面へ戻るように貼り、さらに他のサポートテープ１０を、図４（ｂ）に示し
たように下腿外側から膝窩を通って大腿部前面に戻るように貼る。
【００３５】
さらに、図４（ｃ）に示したように新たなサポートテープ１０を、中央部が膝窩に位置
するようにした状態でその両端部を長手方向に沿って割く。この割かれた両端部を図４（
ｄ）に示したように前方に向けて引っ張った状態で、割れた部分によって図４（ｅ）に示
したように膝蓋骨が囲まれるようにサポートテープ１０の両端部を順次貼りつけてテーピ
ングを終了する。
【００３６】
このようにしてテーピングされた膝関節の前方から視た図を図４（ｆ）に示し、側方か
ら視た図を図４（ｇ）に示す。
【００３７】
本実施例１に係るサポートテープ１０を用いて、以上のようなテーピングを行えば、従
来の高価な装具５（図８参照）を用いることなく、膝関節を長時間に亘って保護すること
ができる。
【図面の簡単な説明】
【００３８】
【図１】本考案の実施例１の構成を示す構成図である。
【図２】本考案の実施例１を構成する経糸と緯糸の構成を示す構成図である。
【図３】本考案の実施例１の使用法の説明図である。
【図４】本考案の実施例１の使用法の説明図である。
【図５】従来のテーピングのの説明図である。
【図６】従来のテーピングのの説明図である。
【図７】従来のサポートテープの構成図である。
【図８】従来の膝関節を保護する装具の斜視図である。
【符号の説明】
【００３９】
１，１０  サポートテープ
１ａ，１１  経糸
１ｂ，１２  緯糸
１ｃ，１３  粘着剤
１´スリムサポートテープ
２  補助テープ
３  アンダーラップ
５  装具
１１ａ  ポリウレタン製の糸
１１ｂ  綿繊維
１２ａ，１２ｂ  単糸
【図１】
0003107822.tif 000003
【図２】
0003107822.tif 000004
【図３】
0003107822.tif 000005
【図４】
0003107822.tif 000006
【図５】
0003107822.tif 000007
【図６】
0003107822.tif 000008
【図７】
0003107822.tif 000009
【図８】
0003107822.tif 000010